(57)【特許請求の範囲】
【請求項１】
光源モジュールと、
前記光源モジュールの上に配置された光源強化部材と、
を含み、
前記光源モジュールは、
基板と、
前記基板の上に配置された発光部と、
前記発光部を取り囲んで所定距離離隔している第１反射シートと、
前記第１反射シートと接触する第２反射シートと、
前記発光部と重なって、前記第１反射シートと前記第２反射シートとの間に固定された波長変換部と、
を含む曲面型バックライトユニット。
【請求項２】
前記第１反射シートは、
前記基板と接触する第１接触部と、
前記第１接触部から延在されて前記発光部と所定距離離隔している第１ボディ部と、
前記第１ボディ部から延在されて前記波長変換部を支持する支持部と、
前記発光部から放出された光が通過する第１貫通孔と、
を含み、
前記第２反射シートは、
前記第１接触部と接触する第２接触部と、
前記第１ボディ部と密着する第２ボディ部と、
前記第２ボディ部から延在されて前記波長変換部の一部を覆う蓋部と、
前記波長変換部から放出された光が通過する第２貫通孔と、
を含む請求項１に記載の曲面型バックライトユニット。
【請求項３】
前記支持部は、前記第１ボディ部から下方に延在されて、前記波長変換部の側面と前記波長変換部の下面の一部を支持し、前記蓋部は、前記第２ボディ部から水平方向に延在されて、前記波長変換部の上面の一部を覆う、請求項２に記載の曲面型バックライトユニット。
【請求項４】
前記支持部は、前記第１ボディ部から水平方向に延在されて、前記波長変換部の下面の一部を支持し、前記蓋部は、前記第２ボディ部から上に突出して、前記波長変換部の側面と前記波長変換部の上面の一部を覆う、請求項２に記載の曲面型バックライトユニット。
【請求項５】
前記第１ボディ部及び第２ボディ部は、前記基板から所定角度を有してそれぞれ前記第１接触部及び第２接触部から延在された、請求項２に記載の曲面型バックライトユニット。
【請求項６】
前記光源モジュールは、前記第１反射シート、前記第２反射シート、及び前記波長変換部を含む複数のセルからなる、請求項２に記載の曲面型バックライトユニット。
【請求項７】
前記複数のセルは、隣接する前記第１接触部が互いに接続されており、隣接する前記第２接触部が互いに接続されている、請求項６に記載の曲面型バックライトユニット。
【請求項８】
前記複数のセルは、各辺が３０ｍｍ以内の正四角形状に形成された、請求項６に記載の曲面型バックライトユニット。
【請求項９】
前記複数のセルは前記基板から５ｍｍ以下の高さに形成された、請求項６に記載の曲面型バックライトユニット。
【請求項１０】
前記第１反射シート及び前記第２反射シートの厚さは５０μｍ以上１００μｍ以下に形成された、請求項２に記載の曲面型バックライトユニット。
【請求項１１】
前記第１貫通孔は前記第２貫通孔よりさらに大きく形成された、請求項２に記載のバックライトユニット。
【請求項１２】
前記第１反射シートと前記第２反射シートとの間に接着部材をさらに含む、請求項２に記載の曲面型バックライトユニット。
【請求項１３】
前記波長変換部は複数の量子点（Quantum Dot）を含む、請求項１に記載の曲面型バックライトユニット。
【請求項１４】
前記波長変換部は第１ガラス層及び第２ガラス層を含み、
前記複数の量子点は、前記第１ガラス層及び前記第２ガラス層により覆われている、請求項１３に記載の曲面型バックライトユニット。
【請求項１５】
前記波長変換部は、第１波長帯域の光を、第２波長帯域及び第３波長帯域の光に変換して出射する、請求項１３に記載の曲面型バックライトユニット。
【請求項１６】
前記第１波長帯域の光は青色発光ダイオード（ＬＥＤ）から放出された光である、請求項１５に記載の曲面型バックライトユニット。
【発明の詳細な説明】
【技術分野】
【０００１】
本発明は、曲面型バックライトユニット及びこれを含む液晶表示装置に関する。
【背景技術】
【０００２】
液晶表示装置（ＬＣＤ）は、現在、最も幅広く使用されている平板表示装置の一つであって、一般に、共通電極、カラーフィルタなどが形成されている上部基板と、薄膜トランジスタ、画素電極などが形成されている下部基板との間に液晶物質を満たし、画素電極と共通電極に互いに異なる電位を印加して電界を形成することにより液晶分子の配列を変更させ、これを通じて光の透過率を調節して画像を表現する装置である。
液晶表示装置の液晶表示パネル（LCD panel）は、それ自体が非発光性の受光素子であるため、液晶表示装置は、一般に、液晶表示パネルの背面で液晶表示パネルに光を提供するためのバックライトユニット（backlight unit）を含む。
バックライトユニットには光源として、冷陰極蛍光ランプ（ＣＣＦＬ）及び発光ダイオード（ＬＥＤ）が一般に使用される。従来は、電力消費が少なく、明るい白色光を提供する長所のあるＣＣＦＬが主に使用されていたが、最近は、ＣＣＦＬに比べて、色再現性に優れ、寿命が非常に長く、消費電力の小さいＬＥＤが次第に使用されている傾向にある。
バックライトユニットは、液晶表示パネルに対する光源の位置によって、エッジ型（edge type）と、直下型（direct type）に分れる。エッジ型は、液晶表示パネルの側面に光源が位置して、側面から導光板を通じて光を提供する方式であり、直下型は、液晶表示パネルの背面に光源が位置して、液晶表示パネルに光を提供する方式である。このうち直下型バックライトユニットは、光利用率が高く、取り扱いが簡単であり、表示パネルのサイズに制限がなく、相対的に安価であるという長所がある。
直下型バックライトユニットの光源として点光源のＬＥＤが使用される場合、直進性の強いＬＥＤ光が発光面の上側に集中せず、液晶表示パネルの全体にわたって均一に分散される。
直下型バックライトユニットの光源として点光源のＬＥＤが使用される場合、光源の上にＬＥＤ光を特定波長の光に変換する波長変換部が位置してもよい。
【発明の概要】
【発明が解決しようとする課題】
【０００３】
本発明の目的は、波長変換部を固定すると同時に、バックライト曲率によりベンディング（bending）が可能な曲面型バックライトユニット及びこれを含む表示装置を提供することにある。
【課題を解決するための手段】
【０００４】
上記の目的を達成するために、本発明の実施形態による曲面型バックライトユニットは、光源モジュールと、前記光源モジュールの上に配置された光源強化部材と、を含み、前記光源モジュールは、基板と、前記基板の上に配置された発光部と、前記発光部を取り囲んで所定距離離隔している第１反射シートと、前記第１反射シートと接触する第２反射シートと、前記発光部と重なって、前記第１反射シートと前記第２反射シートとの間に固定された波長変換部と、を含む。
前記第１反射シートは、前記基板と接触する第１接触部と、前記第１接触部から延在されて前記発光部と所定距離離隔している第１ボディ部と、前記第１ボディ部から延在されて前記波長変換部を支持する支持部と、前記発光部から放出された光が通過する第１貫通孔と、を含み、前記第２反射シートは、前記第１接触部と接触する第２接触部と、前記第１ボディ部と密着する第２ボディ部と、前記第２ボディ部から延在されて前記波長変換部の一部を覆う蓋部と、前記波長変換部から放出された光が通過する第２貫通孔と、を含んでもよい。
前記支持部は、前記第１ボディ部から下方に延在されて、前記波長変換部の側面と前記波長変換部の下面の一部を支持し、前記蓋部は、前記第２ボディ部から水平方向に延在されて、前記波長変換部の上面の一部を覆ってもよい。
前記支持部は、前記第１ボディ部から水平方向に延在されて、前記波長変換部の下面の一部を支持し、前記蓋部は、前記第２ボディ部から上に突出して、前記波長変換部の側面と前記波長変換部の上面の一部を覆ってもよい。
前記第１ボディ部及び第２ボディ部は、前記基板から所定角度を有してそれぞれ前記第１接触部及び第２接触部から延在されてもよい。
【０００５】
前記光源モジュールは、前記第１反射シート、前記第２反射シート、及び前記波長変換部を含む複数のセルから形成されてもよい。
前記複数のセルは、隣接する前記第１接触部が互いに接続され、隣接する前記第２接触部が互いに接続されてもよい。
前記複数のセルは、各辺が３０ｍｍ以内の正四角形状に形成されてもよい。
前記複数のセルは前記基板から５ｍｍ以下の高さに形成されてもよい。
前記第１反射シート及び前記第２反射シートの厚さは５０μｍ以上１００μｍ以下に形成されてもよい。
前記第１貫通孔は前記第２貫通孔よりさらに大きく形成されてもよい。
前記第１反射シートと前記第２反射シートとの間に接着部材をさらに含んでもよい。
前記波長変換部は複数の量子点（Quantum Dot）を含んでもよい。
前記波長変換部は第１ガラス層と第２ガラス層を含み、前記複数の量子点は前記第１ガラス層と前記第２ガラス層により覆われてもよい。
前記波長変換部は、第１波長帯域の光を、第２波長帯域及び第３波長帯域の光に変換して出射し得る。
前記第１波長帯域の光は、青色発光ダイオード（ＬＥＤ）から放出された光であり得る。
【０００６】
本発明の実施形態による曲面型バックライトユニットの製造方法は、第１反射シートを準備する段階と、前記第１反射シートの上に波長変換部を固定する段階と、前記第１反射シート及び前記波長変換部の上に第２反射シートを載せる段階と、前記第１反射シート及び前記第２反射シートを、発光部を含む基板に付着する段階と、を含む。
前記第１反射シートは、前記基板と接触する第１接触部と、前記第１接触部から延在されて前記発光部と所定距離離隔している第１ボディ部と、前記第１ボディ部から延在されて前記波長変換部を支持する支持部と、前記発光部から放出された光が通過する第１貫通孔と、を含み、前記第２反射シートは、前記第１接触部と接触する第２接触部と、前記第１ボディ部と密着する第２ボディ部と、前記第２ボディ部から延在されて前記波長変換部の一部を覆う蓋部と、前記波長変換部から放出された光が通過する第２貫通孔と、を含んでもよい。
前記支持部は、前記第１ボディ部から下方に延在されて、前記波長変換部の側面と前記波長変換部の下面の一部を支持し、前記蓋部は、前記第２ボディ部から水平方向に延在されて、前記波長変換部の上面の一部を覆ってもよい。
前記支持部は、前記第１ボディ部から水平方向に延在されて、前記波長変換部の下面の一部を支持し、前記蓋部は、前記第２ボディ部から上に突出して、前記波長変換部の側面と前記波長変換部の上面の一部を覆ってもよい。
【０００７】
本発明の実施形態による曲面型表示装置は、表示パネルと、前記表示パネルに光を提供する曲面型バックライトユニットと、を含み、前記曲面型バックライトユニットは、光源モジュールと、前記光源モジュールの上に配置された光源強化部材と、を含み、前記光源モジュールは、基板と、前記基板の上に配置された発光部と、前記発光部を取り囲んで所定距離離隔している第１反射シートと、前記第１反射シートと接触する第２反射シートと、前記発光部と重なって、前記第１反射シートと前記第２反射シートとの間に固定された波長変換部と、を含む。
前記第１反射シートは、前記基板と接触する第１接触部と、前記第１接触部から延在されて前記発光部と所定距離離隔している第１ボディ部と、前記第１ボディ部から延在されて前記波長変換部を支持する支持部と、前記発光部から放出された光が通過する第１貫通孔と、を含み、前記第２反射シートは、前記第１接触部と接触する第２接触部と、前記第１ボディ部と密着する第２ボディ部と、前記第２ボディ部から延在されて前記波長変換部の一部を覆う蓋部と、前記波長変換部から放出された光が通過する第２貫通孔と、を含んでもよい。
前記支持部は、前記第１ボディ部から下方に延在されて、前記波長変換部の側面と前記波長変換部の下面の一部を支持し、前記蓋部は、前記第２ボディ部から水平方向に延在されて、前記波長変換部の上面の一部を覆ってもよい。
前記支持部は、前記第１ボディ部から水平方向に延在されて、前記波長変換部の下面の一部を支持し、前記蓋部は、前記第２ボディ部から上に突出して、前記波長変換部の側面と前記波長変換部の上面の一部を覆ってもよい。
上述した本発明の技術的課題以外にも、本発明の他の特徴及び利点が以下に記述されたり、このような記述及び説明から本発明が属する技術分野における通常の知識を有する者に明確に理解されるはずである。
【発明の効果】
【０００８】
以上のような本発明によれば、次のような効果がある。
本発明による曲面型バックライトユニットは、第１反射シートと第２反射シートとの間に波長変換部を固定することによって、バックライトのベンディング時、ガラスタイプの波長変換部を破損することなく固定できる。
本発明による曲面型バックライトユニットは、第１反射シートと第２反射シートとの間に波長変換部を固定することによって、製造費用を節減し、重量増加を最小化できる。
その他にも、本発明の実施形態を通じて、本発明の他の特徴及び利点が新しく把握され得る。
【図面の簡単な説明】
【０００９】
【図１】本発明の一実施形態による曲面型表示装置を説明するための斜視図である。
【図２】図１に示された曲面型表示装置を説明するための分解斜視図である。
【図３】本発明の一実施形態による光源モジュールの斜視図である。
【図４】本発明の一実施形態による光源モジュールの断面図である。
【図５】本発明の一実施形態による波長変換部の断面図である。
【図６】本発明の他の実施形態による光源モジュールの斜視図である。
【図７】本発明の他の実施形態による光源モジュールの断面図である。
【図８】本発明の比較例による光源モジュールの斜視図である。
【図９】本発明の比較例による光源モジュールの断面図である。
【図１０】本発明の一実施形態による光源モジュールの製造方法を示すフローチャートである。
【図１１】本発明の一実施形態による光源モジュールの製造方法を示す斜視図である。
【図１２】図１１のＸＩＩ−ＸＩＩ線に沿った断面図である。
【図１３】本発明の一実施形態による光源モジュールの製造方法を示す斜視図である。
【図１４】図１３のＸＩＶ−ＸＩＶ線に沿った断面図である。
【図１５】本発明の一実施形態による光源モジュールの製造方法を示す斜視図である。
【図１６】図１５のＸＶ−ＸＶ線に沿った断面図である。
【図１７】本発明の一実施形態による光源モジュールの製造方法を示す斜視図である。
【図１８】図１７のＸＶＩＩ−ＸＶＩＩ線に沿った断面図である。
【発明を実施するための形態】
【００１０】
添付した図面を参照して、本発明の実施形態について本発明が属する技術分野における通常の知識を有する者が容易に実施できるように詳細に説明する。しかし、本発明は種々の異なる形態に具現されることができ、以下に説明する実施形態に限られない。
図面において、種々の層及び領域を明確に表現するために、厚さを拡大または誇張して示した。層、膜、領域、板などの部分が他の部分の「上」にあると表現される場合、これは他の部分の「すぐ上」にある場合だけでなく、その中間に他の部分がある場合も含む。一方、ある部分が他の部分の「すぐ上」にあると表現される場合には、中間に他の部分がないことを意味する。
【００１１】
以下、添付した図面を参照して、本発明の曲面型バックライトユニット及びこれを含む曲面型表示装置について詳細に説明する。
図１は、本発明の一実施形態による曲面型表示装置を説明するための斜視図であり、図２は、図１に示された曲面型表示装置を説明するための分解斜視図であり、図３は、本発明の一実施形態による光源モジュールの斜視図であって、図２のＩＩＩ−ＩＩＩ線に沿った斜視図であり、図４は、本発明の一実施形態による光源モジュールの断面図であって、図２のＩＩＩ−ＩＩＩ線に沿った断面図であり、図５は、本発明の一実施形態による波長変換部の断面図である。
先ず、図１及び図２を参照すると、本発明の一実施形態による曲面型表示装置は、表示パネル１０００、曲面型バックライトユニット２０００、モールドフレーム３０００、トップシャーシ（top chassis）４１００、及びボトムシャーシ（bottom chassis）４２００を含む。
曲面型表示装置は、ＸＹ平面上で観察すると、一定の曲率（curvature）を有して凹状に屈曲する。
曲面型バックライトユニット２０００は表示パネル１０００に光を供給し、表示パネル１０００は供給された光を制御して映像を表示する。
モールドフレーム３０００は、表示パネル１０００と曲面型バックライトユニット２０００との間に位置する。
トップシャーシ４１００は、表示パネル１０００の枠（rim）を取り囲んで表示パネル１０００を保護し、表示パネル１０００が曲面型バックライトユニット２０００から分離されることを防止する。モールドフレーム３０００とトップシャーシ４１００のいずれか一つまたはすべては実施形態によって省略可能である。
ボトムシャーシ４２００は曲面型バックライトユニット２０００を収納する。ボトムシャーシ４２００は、上部が開放されており、所定深さの収納空間を有する一種の容器（container）である。ボトムシャーシ４２００は全体的に四角トレイのような形状を有してもよい。
【００１２】
表示パネル１０００は、ＸＹ平面上で観察すると、一定の曲率のカーブド形状（curved shape）を有してもよい。表示パネル１０００は、液晶表示パネル、プラズマ表示パネルなどであり得る。
本発明の一実施形態による表示パネル１０００は、下部パネル１１０、下部パネル１１０に対向する上部パネル２１０、及び下部パネル１１０と上部パネル２１０との間に介される液晶層３１０を含む液晶表示パネルである。
下部パネル１１０と上部パネル２１０は一定の曲率を有するように屈曲している。曲率半径中心を基準として内側に位置する上部パネル２１０と、曲率半径中心を基準として外側に位置する下部パネル１１０とが、同一の曲率半径を有するように一定に屈曲している。このとき、水平方向の曲率半径の中心は上部パネル２１０の外側、つまり、観察者が位置する側に位置する。
表示パネル１０００は、一定の曲率を有するように屈曲しているトップシャーシ４１００に挿入される前にカーブド（curved）されてもよく、トップシャーシ４１００に挿入された後にカーブドされてもよい。例えば、表示パネル１０００がフレキシブルタイプ（flexible type）であれば、トップシャーシ４１００に挿入された後にカーブドされてもよい。表示パネル１０００がリジッドタイプ（rigid type）であれば、トップシャーシ４１００に挿入される前に一定の曲率のカーブド形状を有するように製造されてもよい。
【００１３】
下部パネル１１０は、ガラスのような透明な絶縁基板、及びその上に形成されている複数の薄膜トランジスタ、データ線、ゲート線、画素電極などを含む。薄膜トランジスタのソース端子にはデータ線が接続されており、ゲート端子にはゲート線が接続されている。薄膜トランジスタのドレイン端子にはインジウム錫酸化物（ＩＴＯ）のような透明な導電性物質で形成された画素電極が接続されている。
下部パネル１１０に対向して位置する上部パネル２１０は、透明な絶縁基板、及びその上に形成されているカラーフィルタ、共通電極などを含む。カラーフィルタは、赤色、緑色、青色などの原色（primary colors）をそれぞれ表現できるカラーフィルタを含んでもよい。共通電極は、インジウム錫酸化物（ＩＴＯ）、インジウム亜鉛酸化物（ＩＺＯ）のような透明な導電性物質で形成されている。カラーフィルタと共通電極のうちの少なくとも一つは下部パネル１１０に位置してもよい。
【００１４】
下部パネル１１０と上部パネル２１０にはそれぞれ偏光子（polarizer）が付着していてもよい。偏光子は、液晶表示パネルに入射する光を偏光させて、一方向に振動する光のみを透過させる役割を果たす。
液晶表示パネルにおいて、ゲート線に印加される信号によって薄膜トランジスタがターンオンされると、データ線に印加される信号が画素電極に印加される。このことにより、画素電極と共通電極との間に所定大きさの電界が形成されて、液晶層の液晶分子の配向を制御する。これによって液晶層３１０を通過する光の透過率を調節して映像を表示する。
表示装置は、表示パネル１０００に印加される信号を制御する駆動部（driver）、制御部（controller）のような少なくとも一つの駆動装置（図示せず）を含む。駆動装置は、集積回路チップ形態で表示パネル１０００に実装されるか、または印刷回路基板（ＰＣＢ）やフレキシブル印刷回路基板（ＦＰＣＢ）に実装されて、表示パネル１０００に電気的に接続されてもよい。ある駆動装置は表示パネル１０００に集積され得る。
表示パネル１０００の下部には、表示パネル１０００に光を提供するための曲面型バックライトユニット２０００が位置する。
【００１５】
曲面型バックライトユニット２０００は直下型であって、光源モジュール２１００及び光源強化部材２３００を含む。
光源モジュール２１００は、基板２１１０、発光部２１３０、第１反射シート２１５０、第２反射シート２１７０、及び波長変換部２１９０を含む複数のセルからなる。
基板２１１０は、発光部２１３０、第１反射シート２１５０、及び第２反射シート２１７０を支持し、発光部２１３０に電源を供給する。基板２１１０は回路基板であってもよく、特に、発光部２１３０から発生する熱を速やかに放熱させることができる金属コア印刷回路基板（ＭＣＰＣＢ）であってもよい。
発光部２１３０は、基板２１１０の配線に電気的に接続されて電源の供給を受け、電気エネルギーを光エネルギーに変換して放出する。発光部２１３０は、基板２１１０に所定間隔で複数個配置されてもよく、発光部２１３０の全体個数と配置は、表示パネルのサイズ、光源の出力などにより多様に変更可能である。
発光部２１３０は発光ダイオード（ＬＥＤ）パッケージであってもよく、ＬＥＤパッケージの発光面が表示パネル１０００に向かうように基板２１１０に実装されている。
発光部２１３０は、赤色、青色、緑色などのようなカラーのうちの少なくとも一つのカラーを放出する有色ＬＥＤ、または白色ＬＥＤで構成されてもよい。また、前記有色ＬＥＤは、赤色ＬＥＤ、青色ＬＥＤ、及び緑色ＬＥＤのうちの少なくとも一つを含んでもよく、このような発光ダイオードの配置及び放出光は多様に変更及び適用可能である。また、発光部２１３０は冷陰極性ランプ（ＣＣＦＬ:cathode fluorescent lamp）であってもよい。
【００１６】
図示してはいないが、基板２１１０には発光部２１３０を実質的に覆う光学レンズが実装されてもよい。発光部２１３０から出射した光は、光学レンズを通じて屈折して拡散する。光学レンズは、上向く発光部２１３０の光を集中しないように拡散させるので、光学レンズの使用により発光部２１３０の数を減少することができ、高出力光源を適用できる。
基板２１１０の上には、発光部２１３０を取り囲んで、波長変換部２１９０を支持する第１反射シート２１５０が配置されている。
第１反射シート２１５０は、第１接触部２１５１、第１ボディ部２１５３、支持部２１５５、及び第１貫通孔２１５７を含んでもよい。
第１接触部２１５１は、ＸＹ平面上の発光部２１３０から所定距離離隔して発光部２１３０を取り囲み、基板２１１０と接触している。
第１ボディ部２１５３は、基板２１１０から所定角度を有して発光部２１３０に近づき、第１接触部２１５１から延在されている。
つまり、第１ボディ部２１５３は、発光部２１３０と所定距離離隔して発光部２１３０を取り囲むように形成されることによって、第１反射シート２１５０内に位置する発光部２１３０から放出された光が外部に出ないようにできる。
【００１７】
支持部２１５５は、第１ボディ部２１５３から延在され、波長変換部２１９０を支持する。
具体的に、支持部２１５５は、第１ボディ部２１５３から下方に延在されて、波長変換部２１９０の側面及び波長変換部２１９０の下面の一部を支持してもよい。
このとき、第１反射シート２１５０の支持部２１５５の高さは波長変換部２１９０の高さと同一に形成され、支持部２１５５の広さも波長変換部２１９０の広さと同一に形成されることによって、第２反射シート２１７０と共に波長変換部２１９０を固定することができる。
また、第１反射シート２１５０は第１貫通孔２１５７を含んでもよい。
このとき、第１貫通孔２１５７は支持部２１５５の中央に位置してもよい。つまり、第１貫通孔２１５７は発光部２１３０と重なる支持部２１５５に形成されることによって、発光部２１３０から放出された光を波長変換部２１９０に入射させることができる。
【００１８】
第１反射シート２１５０は、波長変換部２１９０を支持できるように、５０μｍ以上１００μｍ以下の厚さに形成されてもよい。
第１反射シート２１５０は、中間が開口された第１貫通孔２１５７を含んでドーム形態に形成されてもよく、第１反射シート２１５０の枠、つまり、第１接触部２１５１は正四角形状に形成されてもよい。
第１反射シート２１５０は、横辺及び縦辺がそれぞれ３０ｍｍ以内に形成されてもよく、発光部２１３０は第１反射シート２１５０の中央に位置してもよい。
また、第１反射シート２１５０の高さ、つまり、基板２１１０から支持部２１５５までの高さを、発光部２１３０から放出された光がすべて波長変換部２１９０に入射するように、５ｍｍ以下に形成することによって、光効率を向上させることができる。
【００１９】
第２反射シート２１７０は、第１反射シート２１５０及び波長変換部２１９０の上に位置している。
第２反射シート２１７０は、第２接触部２１７１、第２ボディ部２１７３、蓋部２１７５、及び第２貫通孔２１７７を含んでもよい。
第２接触部２１７１は、第１反射シート２１５０の第１接触部２１５１と接触し、第２ボディ部２１７３は、第１反射シート２１５０の第１ボディ部２１５３と接触している。
第２ボディ部２１７３は、基板２１１０から所定角度を有して発光部２１３０に近づき、第２接触部２１７１から延在されている。
つまり、第２ボディ部２１７３は発光部２１３０と所定距離離隔して、発光部２１３０を取り囲むように形成されてもよい。このとき、第１ボディ部２１５３と第２ボディ部２１７３は基板２１１０から同一の角度を有して、それぞれ第１接触部２１５１及び第２接触部２１７１から延在され形成されてもよい。
蓋部２１７５は、第２接触部２１７１から水平方向に延在されて、波長変換部２１９０の上面の一部を覆っている。
第２反射シート２１７０は蓋部２１７５の中央、つまり、発光部２１３０と重なる所に光が放出できる第２貫通孔２１７７を含んでもよい。
つまり、基板２１１０の上には発光部２１３０、第１貫通孔２１５７、波長変換部２１９０、及び第２貫通孔２１７７が順次に重なって形成されている。
このとき、第１貫通孔２１５７は第２貫通孔２１７７よりさらに大きく形成されることが光効率には有利である。つまり、第１貫通孔２１５７が第２貫通孔２１７７よりさらに大きく形成されることによって、発光部２１３０から第１貫通孔２１５７を通じて波長変換部２１９０に入射した光を、さらに効率的に第２貫通孔２１７７を通じて表示パネル１０００に放出することができる。
【００２０】
このような光源モジュール２１００は、各辺が３０ｍｍ以内の正四角形状の複数のセルからなってもよい。
各セルは、発光部２１３０、第１反射シート２１５０、波長変換部２１９０、及び第２反射シート２１７０を含んでもよい。
複数のセルは、隣接する第１接触部２１５１が互いに接続され、隣接する第２接触部２１７１が互いに接続されている。
第１反射シート２１５０と第２反射シート２１７０とは接着部材２１２０によって付着してもよい。
接着部材２１２０は、第１接触部２１５１と第２接触部２１７１との間に位置してもよい。接着部材２１２０は、エポキシ、シリコン、またはアクリル材質からなってもよい。
また、図示していないが、基板２１１０と第１接触部２１５１との間に接着部材をさらに含んでもよい
波長変換部２１９０は、第１反射シート２１５０と第２反射シート２１７０との間に位置してもよい。
波長変換部２１９０は、第１反射シート２１５０の支持部２１５５と第２反射シート２１７０の蓋部２１７５によって固定されてもよい。
波長変換部２１９０は、第１貫通孔２１５７を通じて発光部２１３０から放出された光が入射し、第２貫通孔２１７７を通じて入射した光が放出される。
【００２１】
図５を参照すると、波長変換部２１９０は、第１ガラス層２１９１、第２ガラス層２１９３、及び複数の量子点２１９５を含んでもよい。
量子点２１９５は、特定波長の光を選択的に変換することができる。つまり、第１波長帯域の光を第２及び第３波長帯域の光に変換して出射することができる。
一例として、発光部２１３０である発光ダイオード（ＬＥＤ）は青色波長帯域の光を放出でき、量子点２１９５は、青色波長帯域の光の一部はそのまま通過させ、残りは緑色及び赤色波長帯域に変換させて、上面に提供するようになる。したがって、量子点２１９５を通過する光は、元の波長である青色光と、変換された緑色光及び赤色光とが混合されて白色光になって放出され得る。
このような複数の量子点２１９５は、第１ガラス層２１９１と第２ガラス層２１９３によって覆われてもよい。図示してはいないが、このような複数の量子点２１９５は、第１ガラス層２１９１と第２ガラス層２１９３との間のレジン層に分散していてもよい。
第１ガラス層２１９１と第２ガラス層２１９３は、入射した光をそのまま放出するために、透明な物質からなってもよい。
【００２２】
光源モジュール２１００と表示パネル１０００との間には、光源モジュール２１００から放射される光の効率を上げる光源強化部材２３００が位置してもよい。
このような光源強化部材２３００は、拡散シート２３１０及び複数の光学シート２３３０を含んでもよい。拡散シート２３１０は、光源モジュール２１００から放射された光を拡散させて、光学シート２３３０に放射する。
光学シート２３３０は拡散シート２３１０の上に位置して、拡散シート２３１０から入射する光の効率を上げる。
【００２３】
このような光学シート２３３０は、プリズムシート、保護シートなどを含んでもよい。
プリズムシートは、拡散シート２３１０により均等に拡散した光の進行方向を調節して集光させることによって輝度を高めるために使用される。保護シートは、プリズムシートのプリズムをスクラッチ（scratch）などから保護するために使用される。保護シートは、光を拡散させて、プリズムシートによって狭くなった視野角を広くする機能も行える。光学シート２３３０は、プリズムシート及び保護シートのいずれかは含まなくてもよく、いずれかは複数個含んでもよい。
光学シート２３３０は、その他の特性を有する光学的シートをさらに含んでもよい。例えば、光学シート２３３０は、光の偏光成分を分離して透過及び反射することによって輝度効率を上げることができる反射偏光シートを含んでもよい。
【００２４】
以下、図６及び図７を参照して、本発明の他の実施形態による光源モジュールについて説明する。
図６は、本発明の他の実施形態による光源モジュールの斜視図であって、図２のＩＩＩ−ＩＩＩ線に沿った斜視図であり、図７は、本発明の他の実施形態による光源モジュールの断面図であって、図２のＩＩＩ−ＩＩＩ線に沿った断面図である。図６及び図７に示された光源モジュールは、第１反射シート２１５０及び第２反射シート２１７０の構造を変更したことを除いては、上述した図３及び図４による光源モジュールと同一である。したがって、同一の構成については同一の図面符号を付しており、同一の構成に対する反復説明は省略する。
図６及び図７を参照すると、本発明の一実施形態による光源モジュール２１００は、基板２１１０、発光部２１３０、第１反射シート２１５０、第２反射シート２１７０、及び波長変換部２１９０を含む。
第１反射シート２１５０は、第１接触部２１５１、第１ボディ部２１５３、支持部２１５５、及び第１貫通孔２１５７を含んでもよい
支持部２１５５は、第１ボディ部２１５３から水平方向に延在されて、波長変換部２１９０の下面の一部を支持してもよい。
第２反射シート２１７０は、第２接触部２１７１、第２ボディ部２１７３、蓋部２１７５、及び第２貫通孔２１７７を含んでもよい
蓋部２１７５は、第２ボディ部２１７３から突出して、波長変換部２１９０の側面と波長変換部２１９０の上面の一部を覆ってもよい。
【００２５】
図３及び図４に示された光源モジュール２１００は、第１反射シート２１５０の支持部２１５５が下に入って波長変換部２１９０を取り囲み、第２反射シート２１７０の蓋部２１７５が波長変換部２１９０の上面の一部を覆う構造であるが、これに対し、図６及び図７に示された光源モジュール２１００は、第１反射シート２１５０の支持部２１５５が波長変換部２１９０を支持し、第２反射シート２１７０の蓋部２１７５が波長変換部２１９０を取り囲む構造に形成される。
【００２６】
以下、図８及び図９を参照して、本発明の比較例による光源モジュールについて説明する。
図８は、本発明の比較例による光源モジュールの斜視図であり、図９は、本発明の比較例による光源モジュールの断面図である。
図８及び図９を参照すると、本発明の比較例による光源モジュールは、基板２１１０、発光部２１３０、支持フレーム２１６０、及び波長変換部２１９０を含んでもよい。
基板２１１０の上には、発光部２１３０を含む発光ダイオード（ＬＥＤ）パッケージが配置されている。
支持フレーム２１６０の中央には、発光部２１３０を取り囲む開口部２１６１、及び波長変換部２１９０を収納する収納部２１６３を含んでもよい。
収納部２１６３は波長変換部２１９０を支持し、発光部２１３０から放出された光を通過させるために開口部２１６１よりさらに大きく形成されてもよい。
支持フレーム２１６０は、発光部２１３０から波長変換部２１９０を所定距離離隔させるために、一定の高さを有するモールド（mold）タイプに形成されてもよい。
このような本発明の比較例による光源モジュールは、波長変換部２１９０を収納するためにモールドタイプの支持フレーム２１６０を含んでいるので、バックライトのベンディング時にガラスタイプの波長変換部２１９０が破損する可能性があり、製造費用及び重量が増加する問題が発生する。
【００２７】
本発明の実施形態による曲面型バックライトユニットは、第１反射シート２１５０と第２反射シート２１７０との間に波長変換部２１９０を固定することによって、バックライトのベンディング時にもガラスタイプの波長変換部２１９０を保護することができる。
また、本発明の実施形態による曲面型バックライトユニットは、波長変換部２１９０を収納するために、モールドタイプの支持フレームを含まず、第１反射シート２１５０及び第２反射シート２１７０を使用することによって、製造費用を節減し、重量増加を最小化することができる。
【００２８】
以下、それぞれの構成の材料及び構造などにおいて、繰り返される部分に対する重複説明は省略する。
次に、図１０〜図１８を参照して、本発明の一実施形態による光源モジュールの製造方法について説明する。
図１０は、本発明の一実施形態による光源モジュールの製造方法を示すフローチャートであり、図１１〜図１８は、本発明の一実施形態による光源モジュールの製造方法を示す図面である。
先ず、図１０〜図１２に示されているように、第１反射シート２１５０を準備する（Ｓ１００）。
第１反射シート２１５０は、第１接触部２１５１、第１ボディ部２１５３、支持部２１５５、及び第１貫通孔２１５７を含む複数のセルからなる。
複数のセルは、隣接する第１接触部２１５１が互いに接続されている。
第１ボディ部２１５３は、第１接触部２１５１から所定角度を有して上に延在されており、支持部２１５５は、第１ボディ部２１５３から延在され下に入って形成されてもよい。
第１反射シート２１５０の各セルは第１貫通孔２１５７を含む。
【００２９】
次に、図１０、図１３、及び図１４に示されているように、第１反射シート２１５０の上に波長変換部２１９０を固定する（Ｓ２００）。
このとき、第１反射シート２１５０の支持部２１５５高さは波長変換部２１９０の高さと同一に形成され、支持部２１５５広さは波長変換部２１９０の広さと同一に形成されることによって、波長変換部２１９０が第１反射シート２１５０により収納され固定されてもよい。
次に、図１０、図１５、及び図１６に示されているように、第１反射シート２１５０及び波長変換部２１９０の上に第２反射シート２１７０を載せる。
第２反射シート２１７０は、第２接触部２１７１、第２ボディ部２１７３、蓋部２１７５、及び第２貫通孔２１７７を含んでもよい。
第２接触部２１７１及び第２ボディ部２１７３は、それぞれ第１接触部２１５１及び第２ボディ部２１５３と同一の形状になっている。
蓋部２１７５は、第２ボディ部２１７３から水平方向に延在されて、波長変換部２１９０の上面の一部を覆ってもよい。
つまり、第１反射シート２１５０と第２反射シート２１７０とは重なってもよく、波長変換部２１９０は、支持部２１５５と蓋部２１７５によって収納されることによって固定されてもよい。
第１接触部２１５１と第２接触部２１７１との間に透明材質の接着部材２１２０が位置することによって、第１反射シート２１５０と第２反射シート２１７０を付着することができる。
【００３０】
次に、図１０、図１７、及び図１８に示されているように、第１反射シート２１５０と第２反射シート２１７０を基板２１１０と付着する。
基板２１１０の上には複数の発光部２１３０が配置されている。
複数の発光部２１３０の上に波長変換部２１９０が重なるように、基板２１１０の上に第１反射シート２１５０と第２反射シート２１７０を付着する。
このとき、図６及び図７に示されているように、本発明の他の実施形態による第１反射シート２１５０の支持部２１５５は、第１ボディ部２１５３から水平方向に延在されて、波長変換部２１９０の下面の一部を支持し、第２反射シート２１７０の蓋部２１７５は、第２ボディ部２１７３から上に突出して、波長変換部２１９０の側面と波長変換部２１９０の上面の一部を覆う形態に形成されてもよい。
以上、本発明が上述した実施形態及び添付された図面によって限定されず、本発明の技術的な思想を逸脱しない範囲内で多様に置換、変形及び変更が可能であることは、本発明が属する技術分野における通常の知識を有する者にとって明白であるはずである。
【符号の説明】
【００３１】
１０００  表示パネル
２０００  曲面型バックライトユニット
２１００  光源モジュール
２１１０  基板
２１３０  発光部
２１５０  第１反射シート
２１７０  第２反射シート
２１９０  波長変換部
２３００  光源強化部材
４１００  トップシャーシ
４２００  ボトムシャーシ
【図１】
0006632903.tif 000002
【図２】
0006632903.tif 000003
【図３】
0006632903.tif 000004
【図４】
0006632903.tif 000005
【図５】
0006632903.tif 000006
【図６】
0006632903.tif 000007
【図７】
0006632903.tif 000008
【図８】
0006632903.tif 000009
【図９】
0006632903.tif 000010
【図１０】
0006632903.tif 000011
【図１１】
0006632903.tif 000012
【図１２】
0006632903.tif 000013
【図１３】
0006632903.tif 000014
【図１４】
0006632903.tif 000015
【図１５】
0006632903.tif 000016
【図１６】
0006632903.tif 000017
【図１７】
0006632903.tif 000018
【図１８】
0006632903.tif 000019